(57)【特許請求の範囲】
【請求項１】
一方の端部に挿入突起を備え他方の端部には挿入溝を形成した略Ｕ字型のＵ字型本体と、上記Ｕ字型本体の挿入突起と着脱自在に嵌合する挿入溝を形成し先端面に片方の極性を有する第１の一字型結合体と、上記Ｕ字型本体の挿入溝と着脱自在に嵌合する挿入突起を形成し先端面に上記第１の一字型結合体と異なった極性を有する第２の一字型結合体とで構成され、上記Ｕ字型本体の端部に第１の一字型結合体および第２の一字型結合体を接合してＵ字型磁石と成し、更に、上記第１の一字型結合体と上記第２の一字型結合体における挿入溝と挿入突起を接合することにより棒磁石と成すことができることを特徴とする組み立て式磁石。
【請求項２】
第１の一字型結合体及び第２の一字型結合体は、合成樹脂製であって小型磁石の一端面を露出させて覆うように構成することを特徴とする請求項１に記載の組み立て式磁石。
【請求項３】
Ｕ字型本体に形成された挿入突起及び第２の一字型結合体に形成された挿入突起には固定溝または固定突起が設けられ、Ｕ字型本体に形成された挿入溝及び第１の一字型結合体に形成された挿入溝には、上記固定溝または固定突起に着脱自在に嵌合する固定突起または固定溝を形成したことを特徴とする請求項１または２に記載の組み立て式磁石。
【請求項４】
第１の一字型結合体及び第２の一字型結合体には凹凸部が設けられていることを特徴とする請求項１〜３のいずれかに記載の組み立て式磁石。
【発明の詳細な説明】
【０００１】
【発明の属する技術分野】
本発明は、主に教材用等で使用されるＵ字型磁石及び棒磁石に関するものである。
【０００２】
【従来の技術】
【発明の属する技術分野】
本発明は、主に教材用等で使用されるＵ字型磁石及び棒磁石に関するものである。
【０００３】
【従来の技術】
従来から、Ｕ字型磁石と棒磁石はセットとして教材用に多く用いられている。図１は、一般的な従来例であって、同図（ａ）は棒磁石１１、同図（ｂ）はＵ字型磁石１２を示し、これらの磁石は金属材質で作られるため重くて衝撃に弱く落としたら割れやすかった。
また、セットとして使うために２個の磁石を一緒に持ち運ばなければならず不便であった。
さらに、一般的に磁石のＮ極とＳ極を区別しやすいように磁石表面を縦向きで半々にして各々赤い色と青い色に区別して塗装するため、磁石製造時に生産性を低下させるだけでなく、子供たちが口に入れたりした場合に衛生上好ましくなかった。
【０００４】
この欠点を改善するものとして、図２に示すように、韓国実用新案公報第８２−６７２号に棒磁石及びＵ字型磁石からなる教育用磁石が開示されている。同図（ａ）は棒磁石２０ａを示し、その合成樹脂本体２１の両端には挿入溝Ｈ，Ｈが設けられ、ここに両端の極性の異なる磁石Ｍ，Ｍを、端部の極性が異なって露出するように差し込むことにより使用可能としている。また、図２（ｂ）はＵ字型磁石２０ｂを示し、その合成樹脂本体２２の両端に挿入溝Ｈ，Ｈが設けられ、この挿入溝Ｈ，Ｈにそれぞれ図２（ａ）に用いた磁石Ｍ，Ｍを差し込むようになっている。
【０００５】
【発明が解決しようとする課題】
しかしながら、上記従来例の教育用磁石においては、衝撃に弱く別途の工程を経て製造されることによる従来の欠点は改善されたが、二つの磁石を持ち運ぶ不便さは解消されていない。また、新たに棒磁石用の合成樹脂本体２１およびＵ字型磁石用の合成樹脂本体２２の各挿入溝Ｈ，Ｈに挿入する磁石Ｍ，Ｍの挿入方向を必ず反対にしなければならないことから、付け替え時に注意して挿入しなければならず面倒であった。
【０００６】
そこで、本発明はこれらの不都合を解消すべく、Ｕ字型磁石を湾曲したＵ字型本体と先端に小型磁石を固定した二つの直線状の一字型結合体に区分し、これらがお互いに分離と結合を繰り返して行うことを可能として、一字型結合体同士を結合すれば棒磁石としても使えるようにし、さらに磁極区分のために塗装工程を必要としない組み立て式磁石を提供することを目的とする。
【０００７】
【課題を解決するための手段】
上記課題を解決するために本発明は、一方の端部に挿入突起を備え他方の端部には挿入溝を形成した略Ｕ字型のＵ字型本体と、上記Ｕ字型本体の挿入突起と着脱自在に嵌合する挿入溝を形成し先端面に片方の極性を有する第１の一字型結合体と、上記Ｕ字型本体の挿入溝と着脱自在に嵌合する挿入突起を形成し先端面に上記第１の一字型結合体と異なった極性を有する第２の一字型結合体とで構成され、上記Ｕ字型本体の端部に第１の一字型結合体および第２の一字型結合体を接合してＵ字型磁石と成し、更に、上記第１の一字型結合体と上記第２の一字型結合体における挿入溝と挿入突起を接合することにより棒磁石と成すことができるようにしたことを特徴とする。
【０００８】
この構成によれば、Ｕ字型磁石に棒磁石用の部材も一体に組込まれているので、Ｕ字型磁石と棒磁石を選択的に使用できると共に従来のように二つの磁石を持ち運ぶ不便さが無くなる。また、Ｕ字型磁石および棒磁石共に使用する磁石は正規の極性にだけ組み立てられるようになるので操作性が良く、従来の不都合を解消することができる。
【０００９】
請求項２の組み立て式磁石は、請求項１の発明において、第１の一字型結合体及び第２の一字型結合体は、合成樹脂製であって小型磁石一端面を露出させて覆うように構成することを特徴とする。
そして、第１の一字型結合体及び第２の一字型結合体は、合成樹脂製であって小型磁石の一端面を露出させて覆うように構成すると、着色された合成樹脂を使用することが可能となって磁石部材を塗装しなくて良く、更に、小型磁石は合成樹脂で覆われるため落下しても割れにくいものとなる。
【００１０】
請求項３の組み立て式磁石は、請求項１又は２の発明において、Ｕ字型本体に形成された挿入突起及び第２の一字型結合体に形成された挿入突起には固定溝または固定突起が設けられ、Ｕ字型本体に形成された挿入溝及び第１の一字型結合体に形成された挿入溝には、上記固定溝または固定突起に着脱自在に嵌合する固定突起または固定溝を形成したことを特徴とする。
このように構成すれば、各嵌合部は必要時以外には不用意に外れることがなく使いやすいものとなる。
【００１１】
請求項４の組み立て式磁石は、請求項１〜３の発明において、さらに、第１の一字型結合体及び第２の一字型結合体の外周面に凹凸部を設けられていることを特徴とする。
このように構成することにより、Ｕ字型本体への着脱操作や、第１の一字型結合体と第２の一字型結合体との着脱操作がしやすくなる。
【００１２】
【発明の実施の形態】
本発明は、Ｕ字型を形成する合成樹脂製のＵ字型本体と先端に小型磁石を固定した二つの一字型結合体からなる合計三つの部材を、結合および分離することにより達成される。
【００１３】
この発明の技術的な特徴は、第一に組み立て式磁石を形成している上記の合成樹脂製からなるＵ字形状は、直線形状に並行した両脚部を分割するように、Ｕ字型のＵ字型本体と二つの直線状の一字型結合体による合計三部材で成り立つ。
【００１４】
そして、上記のＵ字型のＵ字型本体の両端部に設けられる二つの一字型結合体は、Ｕ字型本体に分離および結合ができると共に、その取り付け部が一字型結合体同士で相互に結合および分離できるようになっているのが第二の特徴である。
【００１５】
第三の特徴は、本発明に使用する二つの小型磁石が、上記の二つの一字型結合体における結合側でない各々の先端面の中央に互いに極性が異なるように固定されることである。それにより、二つの一字型結合体をＵ字型本体に結合すればＵ字型磁石となり、二つの一字型結合体同士を結合すれば棒磁石となる。
さらに、二つの一字型結合体は各々異なる色の合成樹脂を使っており、従来の金属磁石のように磁石の表面に極性毎の色を塗装する塗装工程が省略される。
【００１６】
上記のＵ字型本体と二つの一字型結合体との結合は、Ｕ字型本体における端部の片方および一つの一字型結合体の結合部に挿入突起が形成され、Ｕ字型本体における他方の端部および別の一字型結合体における結合部には該挿入突起が差込可能な挿入溝が形成されており、挿入突起の外周面と挿入溝の内周面には各々固定突起と固定溝が形成されて挿入突起を挿入溝に差込んだ際に結合部が容易に外れないようになっている。
また、一字型結合体の結合部の外側面には全周に凹凸部が形成されており、一字型結合体とＵ字型本体および一字型結合体同士を結合あるいは分離する時に、磁石部材を掴んだ手が容易に滑らないようにしてある。
【００１７】
【実施例】
本発明における目的と技術的構成および作用効果に関する詳細な内容は、実施例を望ましく示した図面を参照した下述する説明により明確に判るようになる。図３は本発明の実施例を示す図であり、同図（ａ）は組み立て式磁石の斜視図、同図（ｂ）は分解状態の組み立て式磁石の斜視図、同図（ｃ）は棒磁石の分解斜視図を示す。
【００１８】
図示したように、本発明における組み立て式磁石３０は、図３（ａ）に示すようにＵ字型磁石３０ａの形態をとっており、概略、Ｕ字型本体３２、第１の一字型結合体３１、第２の一字型結合体３１’からなり、第１の一字型結合体３１および第２の一字型結合体３１’には端部の中央に小型磁石３３，３３が固定されている。
【００１９】
合成樹脂材料のＵ字型本体３２における両先端には、第１の一字型結合体３１および第２の一字型結合体３１’を結合するために挿入突起３２Ａおよび挿入溝３２Ｂが備えられており、さらに、第１の一字型結合体３１には挿入溝３１Ｂが設けられ、第２の一字型結合体４には挿入突起３１Ａが設けられている。
従って、第１の一字型結合体３１の挿入溝３１ＢにはＵ字型本体３２の挿入突起３２Ａを、Ｕ字型本体３２の挿入溝３２Ｂには第２の一字型結合体３１’の挿入突起３１Ａを挿入して結合するとＵ字型磁石３０ａが形成され、第１の一字型結合体３１の挿入溝３１Ｂに第２の一字型結合体３１’の挿入突起３１Ａを挿入して結合すると棒磁石３０ｂとして使えるようになる。
そして、Ｕ字型本体３２と第１の一字型結合体３１および第２の一字型結合体３１’間における相互先端部の挿入による結合状態において、意識的に行わなければ外れないようにするには、Ｕ字型本体３２の挿入突起３２Ａおよび第２の一字型結合体３２’における挿入突起３１Ａの表面に固定溝Ｇ，Ｇを設け、Ｕ字型本体３２の挿入溝３２Ｂおよび第１の一字型結合体３１における挿入溝３１Ｂの内面に固定突起Ｉ，Ｉを設けて、該固定溝Ｇ，Ｇと固定突起Ｉ，Ｉを結合すると一定の力以下においてはこれらの結合状態を維持することができる。
【００２０】
また、Ｕ字型本体３２と第１の一字型結合体３１および第２の一字型結合体３１’とを結合や分離する場合、あるいは第１の一字型結合体３１と第２の一字型結合体３１’とを結合や分離する場合に各々の一字型結合体を掴んだ手が滑らず手軽に結合や分離ができるように、第１の一字型結合体３１および第２の一字型結合体３１’の結合部側の外周面には凹凸部Ｃ，Ｃが形成されている。
なお、一般的に教材用の永久磁石の場合、Ｎ極は青い色でＳ極は赤い色に表示されているので、本発明における２つの一字型結合体も同様に青い色および赤い色の合成樹脂を使って製造するのが望ましいし美観的にも良い。
本実施例におけるＵ字型本体３２および第１の一字型結合体３１および第２の一字型結合体３１’の断面形状は従来の一般的な教育用の永久磁石同様に略矩形形状となっているが、Ｕ字型や馬蹄形磁石あるいは棒磁石においては必須の要件ではないため、美観と装飾的な効果を加えるためにその断面の形を円形、楕円形、多角形等の多様な形で作るのも望ましい。
【００２１】
【発明の効果】
本発明に係る組み立て式磁石は３部品で構成され、組替えることにより、Ｕ字型磁石又は棒磁石として使用することができる点に特徴があり、Ｕ字型磁石として組み立てることにより全部品を一体化することができることから、保管や運搬に便利である。また、使用する小型磁石以外は合成樹脂製のため衝撃に強い利点がある。
そしてＵ字型本体および一字型結合体は合成樹脂製であるので表面に多様な文様を形成させたり、各種類の断面形にすることが可能で装飾用にも優れたものとすることができる。
これらの特徴を教材用に用いた場合は、学生にとってより興味深いものとなる利点がある。
【図面の簡単な説明】
【図１】従来例を示す図で、同図（ａ）は棒磁石を示す斜視図、同図（ｂ）はＵ字型磁石を示す斜視図である。
【図２】他の従来例を示す斜視図で、同図（ａ）は棒磁石を示す斜視図、同図（ｂ）はＵ字型磁石を示す斜視図である。
【図３】本発明による組み立て式磁石を示す図で、同図（ａ）は斜視図、同図（ｂ）は分解斜視図、同図（ｃ）は棒磁石の分解斜視図である。
【符号の説明】
Ｃ  凹凸部
Ｇ  固定溝
Ｍ  磁石
Ｎ  極性
Ｓ  極性
Ｈ  挿入溝
Ｉ  固定突起
１１  棒磁石
１２  Ｕ字型磁石
２０ａ  棒磁石
２０ｂ  Ｕ字型磁石
２１  合成樹脂本体（棒磁石用）
２２  合成樹脂本体（Ｕ字型磁石用）
３０  組み立て式磁石
３０ａ  Ｕ字型磁石
３０ｂ  棒磁石
３１  第１の一字型結合体
３１’  第２の一字型結合体
３１Ａ  挿入突起
３１Ｂ  挿入溝
３２  Ｕ字型本体
３２Ａ  挿入突起
３２Ｂ  挿入溝
３３  小型磁石
【図１】
0003650370.tif 000002
【図２】
0003650370.tif 000003
【図３】
0003650370.tif 000004